(57)【要約】【課題】戻り側ベルトは幅方向に凹凸があるため、幅の広いベルトにベルトクリーナの掻き取り部を正確に当接させるのは困難であった。掻き板の幅を小分割した四角形棒状ゴム製弾性体を、ボルトで押し上げて、高さ調整をする方法があるが、四角形棒状ゴム製弾性体の数が多くなり、時間を要することや、戻り側ベルトの下部での作業となり、安全面や環境面で問題があった。【解決手段】四角形棒状ゴム製弾性体にスプリングを装着した固定用軸を取付け、架台の底板に設けたガイド穴に挿入することにより、四角形棒状ゴム製弾性体を簡単に架台に列設できるようにし、四角形棒状ゴム製弾性体を、スプリングが設定撓み量になるまで押し上げることにより、自動的に四角形棒状ゴム製弾性体と戻り側ベルトを、適切な押し付け状態に調整できるようにした。又、架台両端のスラストボルトを締め付けて、四角形棒状ゴム製弾性体を固定できるようにした。【選択図】図１
2017190245.tif 000002
【特許請求の範囲】
【請求項１】
複数の四角形棒状ゴム製弾性体が、戻り側ベルトの幅方向に配設された架台の溝に列設されたベルトクリーナにおいて、それぞれの前記四角形棒状ゴム製弾性体の固定側端末に、前記四角形棒状ゴム製弾性体の中心軸方向に固定用軸が取り付けられており、該固定用軸は、前記架台の底板に設けた保持用ガイド穴に挿入され、前記四角形棒状ゴム製弾性体を垂直に保持しており、且つ、前記固定用軸には、スプリングが挿入されており、該スプリングは、前記四角形棒状ゴム製弾性体の固定側端面と前記底板の間に挟まれており、前記四角形棒状ゴム製弾性体を上方に押し上げていることを特徴とするベルトクリーナ。
【請求項２】
前記架台の両端にフランジを設け、該フランジには、戻り側ベルトの幅方向に貫通孔が設けられ、該貫通孔にはネジが設けられ、該ネジにはスラストボルトが回転自在に取り付けられており、該スラストボルトを前記四角形棒状ゴム製弾性体に押し付けて、前記四角形棒状ゴム製弾性体のスラスト方向と垂直方向の動きを固定したことを特徴とする請求項１記載のベルトクリーナ。
【請求項３】
前記フランジには、前記架台を支持するための支持用パイプが取り付けられており、前記スラストボルトは、前記指示用パイプに収納されていることを特徴とする請求項１又は請求項２記載のベルトクリーナ。
【請求項４】
前記架台に列設した四角形棒状ゴム製弾性体の両側に、前記四角形棒状ゴム製弾性体の戻り側ベルトの幅よりも幅広の倒れ防止板を設けていることを特徴とする請求項１又は請求項２又は請求項３記載のベルトクリーナ。
【請求項５】
前記四角形棒状ゴム製弾性体の自由側端末に、チップを具備したことを特徴とする請求項１又は請求項２又は請求項３又は請求項４記載のベルトクリーナ。
【請求項６】
前記四角形棒状ゴム製弾性体の前記自由側端末にチップを取り付けた四角形棒状ゴム製弾性体おいて、前記四角形棒状ゴム製弾性体の幅Ｗ１は前記チップの幅Ｗ３よりも小さくなっており、隣り合う前記四角形棒状ゴム製弾性体の間に厚みｔで、次式ｔ＝Ｗ３−Ｗ１を満たすスペーサが挿入されていることを特徴とする請求項５記載のベルトクリーナ。
【請求項７】
前記架台の前記溝に列設された前記四角形棒状ゴム製弾性体と前記押し側板の間に、押し付け板が挿入されており、前記押し側板には、前記戻り側ベルトの幅方向に複数の押し付けボルトが転動自在に取り付けられており、該押し付けボルトで前記押し付け板を押し付けることにより、前記四角形棒状ゴム製弾性体を受け側板に押し付けて固定することを特徴とする請求項１又は請求項２記載のベルトクリーナ。
【発明の詳細な説明】
【技術分野】
【０００１】
本発明は原材料の輸送に用いるベルトコンベアの戻り側ベルト表面に付着した付着物を掻き取るベルトクリーナであり、ベルトの形状に合わせて掻き取り部の高さ調整を可能にしたベルトクリーナに関するものである。
【背景技術】
【０００２】
一般にベルトコンベアは駆動プーリと従動プーリとの間に所定幅のゴム製ベルトをエンドレスに巻き付け、駆動プーリを回転させることによりベルトを両プーリ間で周回運動させるものである。通常搬送物はキャリアベルト（搬送側ベルト）に載せて搬送され、駆動プーリ側で払い出されリターンベルト（戻り側ベルト）となり従動プーリへ戻るが、戻り側ベルト表面に付着した搬送物（ベルトへの付着物）が途中で落下し、戻り側ベルト下に堆積する問題があった。又、付着物はリターンローラやスナッププーリを摩耗させたり、これらのローラに付着し、戻り側ベルトを蛇行させたりする問題があった。
【０００３】
通常、戻り側ベルトの付着物を効率的に掻き落として回収するために、戻り側ベルトの最先端にベルトクリーナを設置している。ベルトクリーナには、固定された掻き板を戻り側ベルトに押し付けることにより付着物を掻き板で掻き取るスクレーパ式、ブラシを戻り側ベルトに接触させるブラシ方式、高圧の流体を吹き付ける洗浄方式などがあるが、構造が簡単で取り換えの容易なスクレーパ方式が多用されている。
【０００４】
コンベアベルトは使用するにつれ徐々に摩耗するが、均一に摩耗するのではなく中央部が選択的に大きく摩耗する。従ってベルトが古くなるとベルト中央部と端部では数ミリの厚み差が生じる。又、機長の長いベルトになると、コストや作業時間の制約の点からベルトの取り換えを全長に渡り一括してやらない場合もあり、中央部が大きく摩耗している古いベルトと摩耗していない新しいベルトが混在することもある。摩耗状態が不均一なベルトに対して、ベルトクリーナの高さ調整は、摩耗の一番大きな部分に合わせることになるが、押圧力はベルトの幅方向で不均一になってしまう。又、ベルトのエンドレス部（繋ぎ部）は経年的に剥離してエンドレス端部が剥がれてくる。この剥がれ部は戻り側ベルト表面から突き出ているのでベルトクリーナの撓み限界を超えるとベルトクリーナを破損する危険性がある。又、ベルトクリーナの押圧力が大きいとエンドレスの剥がれを助長したりしてベルト損傷の要因となる。従って、ベルトクリーナはベルト表面の付着物を掻き取るために不可欠であるが、適切な取り付けや使用方法を逸脱するとベルトを破損させ生産障害を起こす場合がある。今まで様々な形状、機能のベルトクリーナが提案されているが未だメンテナンスフリーで掻き取り効率に優れたベルトクリーナは具現化されていない。
【０００５】
スクレーパ式のベルトクリーナに必要な要件は以下である。（１）ベルトクリーナを戻り側ベルトの表面に取り付ける際に、戻り側ベルトの幅方向の凹凸に対して、クリーナの掻き取り部（チップ）を精密に当接できるようにする。（２）チップの摩耗による掻き取り性能の低下に合わせて、チップが上昇し、自動的に掻き取り性能を回復できるようにする。（３）戻り側ベルトの強固な付着物やエンドレス部（接続部）の剥離に対して、チップが戻り側ベルトの走行方向に大きく撓んで、障害物を瞬時にやり過ごしてベルトクリーナの破損を回避すると同時に、正常な掻き取り状態に瞬時に復帰できる。（４）長期間にわたり確実に付着物を掻き取ることができる。（５）チップの寿命が長く、交換が容易である。（６）ベルトクリーナの調整周期や取り換え周期が長く、調整や取付け取り外しが容易である。（７）ベルトクリーナ本体に付着物が付着しない、もしくは付着物の量が極めて少ない。以上の特性を満足しようとして従来多種多様のベルトクリーナが提案されているが、満足できる方法は具現化されていない。
【０００６】
特開平１１−２９２２５０号広報において、長方形の掻き板を戻り側ベルトに押し当てて、付着物を掻き取る方法が示されている。この方法においては、凸円弧状の変形をしている戻り側ベルトに正確に当接できず掻き取り残しが発生していた。又、掻き板が摩耗して掻き取り性能が低下した場合は、コンベアを停止して、掻き板と戻り側ベルトの当接状態を調整する必要があった。又、掻き板は剛性が大きく柔軟に撓めないため、エンドレスのめくれやベルトに付着した突起物が衝突した際に、ベルトや掻き板を損傷させる問題があった。
【０００７】
特開２０１３−２５２９７６号広報において、スクレーパ式のクリーナの問題点を解決するために四角形棒状ゴム製弾性体の先端にチップを取り付けたクリーナが開示されている。この方法においては、戻り側ベルトの強固な付着物やエンドレスのめくれなどの突起を瞬時に回避可能であるが、実機取り付けの際に、戻り側ベルトの上側に凸円弧状の形状に追随するためのチップの高さ調整が困難であった。
【０００８】
実開昭５２−１４４５９０号広報において、ベルトの幅方向に列設した複数のスクレーパを板バネで支持し、板バネをセットボルトで弾性的に撓ませてスクレーパの高さ調整をするベルトクリーナが示されている。この方法においては、板バネが円弧状に上昇すると、スクレーパが扇形に開き、スクレーパの先端に隙間が生じ、線状の掻き取り残しが発生していた。又、スクレーパの剛性が大きい場合は、戻り側ベルトの突起物を瞬時に撓んで回避できないため、ベルトやベルトクリーナが損傷していた。又、ボルトの本数が少ないので、掻き取り部を精密に戻り側ベルトの表面に当接させることは出来ず、掻き取り性能が低下していた。
【０００９】
特開２０１３−２３３５３号広報において、掻き取りブロック同士を互いに分離しないようにワイヤで連結し、掻き取りブロックをボルトなどの位置決め部材で支持したベルトクリーナが示されている。この方法によれば、ワイヤが緩んでいるときは、掻き取りブロック同士が分離したり、掻き取りブロックの先端が扇形に開き線状の掻き取り残しが生じたりする問題があった。又、掻き取りブロックが金属酸化物の焼結体の場合は、掻き取りブロックの剛性が大きいため、戻り側ベルトの突起物を瞬時に撓んで回避できず、ベルトやベルトクリーナが損傷していた。又、ボルト調整するためには、戻り側ベルトの下部に人願が入り込んで作業しなければならず、安全面や環境面で問題があった。又、多数のボルトを調整して、掻き取り部を戻り側ベルトに当接するには多大な時間を要し、長期のコンベア停止時間が必要であった。
【００１０】
特開２０１３−１９６３５０号広報において、押し側板と受け側板からなる架台の溝に、スティックを列設し、押し側板に設けた複数のボルトで、押え板を押し込んでスティックを固定する方法が示されている。この方法では、スティックの高さ調整ができないため、スティックと戻り側ベルトが正確に当接できず掻き取り残しが発生していた。
【先行技術文献】
【特許文献】
【００１１】
【特許文献０１】特開平１１−２９２２５０号広報
【特許文献０２】特開２０１３−２５２９７６号広報
【特許文献０３】実開昭５２−１４４５９０号広報
【特許文献０４】特開２０１３−２３３５３号広報
【特許文献０５】特開２０１３−１９６３５０号広報
【発明の概要】
【発明が解決しようとする課題】
【００１２】
本発明は以下の課題を解決するものである。（１）ベルトクリーナの掻き取り部の高さ調整を、戻り側ベルトの下部に人間が入ることなく可能とする。（２）ベルトクリーナの掻き取り部である四角形棒状ゴム製弾性体の高さを、実機取り付けの際に、戻り側ベルトの形状に合わせて自動的に調整可能にする。（３）それぞれの四角形棒状ゴム製弾性体の高さを、個別に調整できるようにする。（４）掻き取り部（チップ）の摩耗に合わせて、自動的にチップが上昇し、チップと戻り側ベルトの表面が常に適切に当接できるようにする。（５）四角形棒状ゴム製弾性体が戻り側ベルトの突起物により大きく撓んだ際にきちんと通常の掻き取り位置に復帰できるようにする。
【課題を解決するための手段】
【００１３】
第１の解決手段は特許請求項１に示すように、複数の四角形棒状ゴム製弾性体が、戻り側ベルトの幅方向に配設された架台の溝に列設されたベルトクリーナにおいて、それぞれの前記四角形棒状ゴム製弾性体の固定側端末に、前記四角形棒状ゴム製弾性体の中心軸方向に固定用軸が取り付けられており、該固定用軸は、前記架台の底板に設けた保持用ガイド穴に挿入され、前記四角形棒状ゴム製弾性体を垂直に保持しており、且つ、前記固定用軸には、スプリングが挿入されており、該スプリングは、前記四角形棒状ゴム製弾性体の固定側端面と前記底板の間に挟まれており、前記四角形棒状ゴム製弾性体を上方に押し上げていることを特徴とするベルトクリーナである。
【００１４】
第２の解決手段は特許請求項２に示すように、前記架台の両端にフランジを設け、該フランジには、戻り側ベルトの幅方向に貫通孔が設けられ、該貫通孔にはネジが設けられ、該ネジにはスラストボルトが回転自在に取り付けられており、該スラストボルトを前記四角形棒状ゴム製弾性体に押し付けて、前記四角形棒状ゴム製弾性体のスラスト方向と垂直方向の動きを固定したことを特徴とするベルトクリーナである。
【００１５】
第３の解決手段は特許請求項３に示すように、前記フランジには、前記架台を支持するための支持用パイプが取り付けられており、前記スラストボルトは、前記指示用パイプに収納されていることを特徴とするベルトクリーナである。
【００１６】
第４の解決手段は特許請求項４に示すように、前記架台に列設した四角形棒状ゴム製弾性体の両側に、前記四角形棒状ゴム製弾性体の戻り側ベルトの幅よりも幅広の倒れ防止板を設けていることを特徴とするベルトクリーナである。
【００１７】
第５の解決手段は特許請求項５に示すように、前記四角形棒状ゴム製弾性体の自由側端末に、チップを具備したことを特徴とするベルトクリーナである。
【００１８】
第６の解決手段は特許請求項６に示すように、前記四角形棒状ゴム製弾性体の前記自由側端末にチップを取り付けた四角形棒状ゴム製弾性体おいて、前記四角形棒状ゴム製弾性体の幅Ｗ１は前記チップの幅Ｗ３よりも小さくなっており、隣り合う前記四角形棒状ゴム製弾性体の間に厚みｔで、次式ｔ＝Ｗ３−Ｗ１を満たすスペーサが挿入されていることを特徴とするベルトクリーナである。
【００１９】
第７の解決手段は特許請求項７に示すように、前記架台の前記溝に列設された前記四角形棒状ゴム製弾性体と前記押し側板の間に、押し付け板が挿入されており、前記押し側板には、前記戻り側ベルトの幅方向に複数の押し付けボルトが転動自在に取り付けられており、該押し付けボルトで前記押し付け板を押し付けることにより、前記四角形棒状ゴム製弾性体を受け側板に押し付けて固定することを特徴とするベルトクリーナである。
【発明の効果】
【００２０】
第１の解決手段による効果は以下である。（１）ベルトクリーナの掻き取り部の高さ調整を、人間が戻り側ベルトの下部に入らなくても可能にした。（２）四角形棒状ゴム製弾性体の自由側端末を戻り側ベルトの表面に押し付けると、スプリングが撓むことにより、自動的に四角形棒状ゴム製弾性体と戻り側ベルトを精密に当接できる。（３）四角形棒状ゴム製弾性体が摩耗するにつれて、四角形棒状ゴム製弾性体がスプリングにより押し上げられ、自動的に四角形棒状ゴム製弾性体と戻り側ベルトが適切な当接状態に維持される。（４）固定側端末に固定用軸が取り付けられ、固定用軸は底板の保持用ガイド穴に挿入されているので、四角形棒状ゴム製弾性体を垂直に且つ強固に架台に取り付けることができる。（５）四角形棒状ゴム製弾性体と固定用軸が一体となっているので、固定用軸を底板の保持用ガイド穴に挿入するだけで、四角形棒状ゴム製弾性体と架台を正確に且つ簡単に組立てることができる。（６）戻り側ベルトの進行方向の摩擦力（水平力）に対して、保持用ガイド穴と固定用軸の間にモーメントが作用することから、四角形棒状ゴム製弾性体がすっぽ抜けなくなる。
【００２１】
第２の解決手段による効果は以下である。（１）四角形棒状ゴム製弾性体を戻り側ベルトに押し当てることにより、スプリングが撓んで、四角形棒状ゴム製弾性体と戻り側ベルトが適切な圧着力を有した状態で精密に当接できる。この状態で、スラストボルトをネジ込んで、四角形棒状ゴム製弾性体を押し付けることにより、隣り合う四角形棒状ゴム製弾性体が、スラスト方向（戻り側ベルトの幅方向）に圧着されるので、四角形棒状ゴム製弾性体が垂直方向とスラスト方向に拘束され、位置決めすることができる。（２）スラストボルトはベルトコンベアの外から操作できるので、安全作業が可能である。
【００２２】
第３解決手段による効果は以下である。（１）スラストボルトが支持パイプ内に収納されているので、ダスト付着や腐食が低減され、長期に渡りスラストボルトを健全な状態に維持できる。（２）スラストボルトが支持パイプに収納されているので、ベルトクリーナをコンパクトな構造にできる。
【００２３】
第４解決手段による効果は以下である。（１）スラスト方向に剛性が高くなるように幅広の倒れ防止板を設けているので、スラストボルトからの押し付け力を四角形棒状ゴム製弾性体を均一に伝えることができる。（２）四角形棒状ゴム製弾性体のスラスト方向の倒れを防止できる。
【００２４】
第５解決手段による効果は以下である。（１）四角形棒状ゴム製弾性体の自由側端末前面に耐磨耗材からなるチップを取り付けているので、戻り側ベルトの付着物を強力に掻き取ることができる。（２）チップの寿命を延長できる。  
【００２５】
第６解決手段による効果は以下である。（１）隣り合う四角形棒状ゴム製弾性体の間にスペーサを入れているので、スラストボルトで四角形棒状ゴム製弾性体を押し付けた際に、四角形棒状ゴム製弾性体の搖動部分が互いに競り合うことが無い。（２）四角形棒状ゴム製弾性体の幅Ｗ１をチップの幅Ｗ２よりも小さくしているので、隣り合う前記四角形棒状ゴム製弾性体同士が競り合うことが無く、円滑な搖動運動をするので、四角形棒状ゴム製弾性体が大きく撓んだ場合でも瞬時に通常の掻き取り状態に復帰できる。
【００２６】
第７解決手段による効果は以下である。（１）四角形棒状ゴム製弾性体を戻り側ベルトに押し付けて、スプリングを撓ませることにより、四角形棒状ゴム製弾性体の高さ調整をした後、押し側板に取り付けた押し付けボルトを締めこむことにより、押し付け板と受け側板で、四角形棒状ゴム製弾性体を固定できる。（２）四角形棒状ゴム製弾性体を戻り側ベルトに押し付けて、スプリングを撓ませることにより、四角形棒状ゴム製弾性体の高さ調整をした後、ベルトコンベアの機外から、スラストボルトを締めつけて、四角形棒状ゴム製弾性体を固定した後、さらに、押し側板に取り付けた押し付けボルトを締めこむことにより、押し付け板と受け側板で、四角形棒状ゴム製弾性体を固定できる。
【図面の簡単な説明】
【００２７】
【図１】はベルトクリーナを部分断面した全体斜視図。
【図２】は固定用軸にスプリングを挿入した部分断面図。
【図３】は固定用軸にスプリングを取付けた部分正面断面図。
【図４】は固定用軸の四角形棒状ゴム製弾性体への取付け例の断面図。
【図５】は固定用軸にスプリングを挿入したベルトクリーナ正面図の断面図。
【図６】は固定用軸にスプリングを挿入したベルトクリーナと戻り側ベルトの縦断面図。
【図７】はスラストボルト設けたベルトクリーナ正面図断面図。
【図８】はスラストボルトと倒れ防止板を設け、隣り合う四角形棒状ゴム製弾性体の間にスペーサを挿入しているチップ付きベルトクリーナの横断面図。
【図９】はチップ付きベルトクリーナの横断面図。
【図１０】はスラストボルトと倒れ防止板を設け、隣り合う四角形棒状ゴム製弾性体の間にスペーサを挿入しているチップ付きベルトクリーナを部分拡大した断面図。
【図１１】は、溝４０ａに押し付け板４７を挿入したベルトクリーナ１０の横断面図。
【図１２】は、溝４０ａに押し付け板４７を挿入したベルトクリーナ１０の断面斜視図。
【図１３】は、スラストボルト６０と押し付け板４７を組み合わせたベルトクリーナ１０の断面図。
【図１４】は、スラストボルト６０と押し付け板４７を組み合わせたベルトクリーナ１０の断面斜視図。
【発明を実施するための形態】
【００２８】
本発明の実施形態を請求項１〜請求項６及び図１〜図９に基づいて説明する。
【００２９】
第１の解決手段は特許請求項１に示すように、複数の四角形棒状ゴム製弾性体２０が、戻り側ベルト３０の幅方向に配設された架台４０の溝４０ａに列設されたベルトクリーナ１０において、それぞれの前記四角形棒状ゴム製弾性体２０の固定側端末２０ａに、前記四角形棒状ゴム製弾性体２０の中心軸２０ｃ方向に固定用軸２１が取り付けられており、該固定用軸２１は、前記架台４０の底板４３に設けた保持用ガイド穴４０ａに挿入され、前記四角形棒状ゴム製弾性体２０を垂直に保持しており、且つ、前記固定用軸２１には、スプリング２２が挿入されており、該スプリング２２は、前記四角形棒状ゴム製弾性体２０の固定側端面２０ａと前記底板４３の間に挟まれており、前記四角形棒状ゴム製弾性体２０を上方に押し上げていることを特徴とするベルトクリーナ１０である。
【００３０】
図１は、ベルトクリーナ１０を部分断面した全体斜視図である。図２は、四角形棒状ゴム製弾性体２０と底板４３の間にスプリング２２を載置して、固定用軸２１をスプリング２２と保持用ガイド穴４３ａに挿入した部分断面図である。図３は、四角形棒状ゴム製弾性体２０と底板４３の間にスプリング２２を載置して、固定用軸２１をスプリング２２と保持用ガイド穴４３ａに挿入した部分拡大断面図である。図４は四角形棒状ゴム製弾性体２０への固定用軸２１の取付け方法の例を示した断面図である。図５は固定用軸２１とスプリング２２を取付けた四角形棒状ゴム製弾性体２０を列設したベルトクリーナ１０全体を横断面した正面図である。図６は、固定用軸２１とスプリング２２を取付けた四角形棒状ゴム製弾性体２０を列設したベルトクリーナ１０を、戻り側ベルト３０に当接させた場合の正面図の縦断面図である。
【００３１】
本ベルトクリーナ１０の構造を図１ないし図６に基づいて説明する。複数の四角形棒状ゴム製弾性体２０が架台４０の溝４０ａに列設されて固定されている。四角形棒状ゴム製弾性体２０は、溝型の架台４０に設けた溝４０ａに挿入されている。溝４０ａは押し側板４１と受け側板４２及び底板４３で構成されている。四角形棒状ゴム製弾性体２０の固定側端末２０ａには中心軸２０ｃ方向に固定用軸２１が取り付けられており、固定用軸２１は、底板４３に設けられた保持用ガイド穴４３ａに挿入されている。四角形棒状ゴム製弾性体２０と底板４３の間には、固定用軸２１を嵌装したスプリング２２が載置されている。架台４０の両側にはフランジ４４が取り付けられ、フランジ４４に支持パイプ４５が取り付けられている。支持パイプ４５はコンベア架台５０に固定されたベルトクリーナ取付け基部４６で固定されている。
【００３２】
本ベルトクリーナ１０を戻り側ベルト３０に対してセットする手順を図１ないし図６に基づいて説明する。第１ステップとして、架台４０を戻り側ベルト３０の表面に当接するまで押し上げる。第２ステップとして、スプリング２２が目標の撓み量に圧縮されるまで、さらに四角形棒状ゴム製弾性体２０を戻り側ベルト３０に押し付ける。スプリング２２が撓むことにより、戻り側ベルト３０の幅方向の凹凸に対して、四角形棒状ゴム製弾性体２０は適切な押し付け力で戻り側ベルト３０に当接することができる。以上の様に、第１、第２ステップの作業は、多数の掻き取り部を有するベルトクリーナ１０の高さ調整作業を、人間が戻り側ベルト３０の下部に入らなくても可能にしたものであり、安全面や環境面でベルトクリーナ１０の取り付け作業を大幅に改善したものである。
【００３３】
四角形棒状ゴム製弾性体２０が摩耗するにつれて、摩耗量に応じて四角形棒状ゴム製弾性体２０がスプリング２２によって押し上げられ、四角形棒状ゴム製弾性体２０は常に適切な押し付け力を維持することができるので、良好な掻き取り性能が長期に渡り自動的に維持される。このため、ベルトクリーナ１０の調整周期や取り換え周期を大幅に延長できるので、生産性の向上やメンテナンスの効率化を具現化できる。
【００３４】
四角形棒状ゴム製弾性体２０を戻り側ベルト３０にスプリング２２の弾性力で押し付けることにより、戻り側ベルト３０の進行方向の摩擦力により、四角形棒状ゴム製弾性体２０が戻り側ベルト３０の進行方向に倒れる。四角形棒状ゴム製弾性体２０が倒れることにより、戻り側ベルト３０に適度な弾力性を有した押圧力が加わり、戻り側ベルト３０の凹凸や振動による上下変動に対して瞬時に追随して付着物を掻き取ることができる。
【００３５】
四角形棒状ゴム製弾性体２０は自由側端末２０ｂを戻り側ベルト３０に押圧するための押圧力が必要であるとともに戻り側ベルト３０の微妙な凹凸に柔軟に追随する必要がある。そのため、四角形棒状ゴム製弾性体２０はゴムを使用する。ゴムには例えば天然ゴムや合成天然ゴム、スチレン、ブタジエンゴム、クロロプレンゴム、アクリルゴム、ニトリルゴム、ウレタンゴム、フッ素ゴムなどが使用できる。
【００３６】
四角形棒状ゴム製弾性体２０に取り付けた固定用軸２１は、炭素鋼、ＳＵＳ、チタン、銅などの金属棒やプラスチックなどの樹脂が使用できる。固定用軸２１の径は３〜１０ｍｍがよい。３ｍｍより細いと、戻り側ベルト３０の摩擦力によるスラスト力や水平力で曲がる恐れがある。又、１０ｍｍより太いと、架台４０の底板４３の保持用ガイド穴４３ａの径が大きくなり、底板４３の剛性が低下する問題がある。
【００３７】
四角形棒状ゴム製弾性体２０への固定用軸２１の取付け方法は、図２に示すように、予め、四角形棒状ゴム製弾性体２０に穴を設けて、固定用軸２１を挿入し、接着剤で接合することができる。又、四角形棒状ゴム製弾性体２０を金型で成形する際に、固定用軸２１を予め金型にセットすることにより、四角形棒状ゴム製弾性体２０と固定用軸２１を一体的に成形することができる。金型で一体的に成形する場合は、図４（ａ）のように、固定用軸２１に貫通孔２１ａを設け、ピン２１０を固定する方法、図４（ｂ）のように、貫通孔２１ａにボルト２１１を固定する方法、図４（ｃ）のように、固定用軸に凹凸部２１２を設け、ゴム材を食い込ませる方法、図４（ｄ）のように大きな断面積のアンカー孔２１３を設け、ゴム材をアンカー孔２１２に充填することでアンカーとする方法などがあり、固定用軸２１のすっぽ抜けを防止できる。
【００３８】
スプリング２２の内径は４〜１２ｍｍがよい。４ｍｍより細いと、固定用軸２１と接触し伸縮の障害となる。１２ｍｍより太いと隣り合うスプリング２２と干渉し、伸縮の障害となる。スプリング２２の伸縮量は５〜３０ｍｍがよい。５ｍｍ以下であると、戻り側ベルト３０の表面の凹凸量よりも小さくなり精密な当接ができない。３０ｍｍより大きいと、戻り側ベルト３０の進行方向の摩擦力で四角形棒状ゴム製弾性体２０がすっぽ抜ける問題が生じる。スプリング２２の材質はステンレスやバネ鋼が適している。
【００３９】
請求項１の発明においては、図４、図５、図６に示すように、四角形棒状ゴム製弾性体２０に取り付けた固定用軸２１にスプリング２２を挿入して、底板４３の保持用ガイド穴４３ａに挿入することにより、四角形棒状ゴム製弾性体２０の高さ調整や架台４０の長手方向の芯出し調整をすることなく、簡単にしかも精密に四角形棒状ゴム製弾性体２０を架台４０に列設することができる。図３に示すように、保持用ガイド穴４３ａを架台４０の底板４３に正確に穿孔することにより、四角形棒状ゴム製弾性体２０を高精度で架台４０の溝４０ａに列設できる。保持用ガイド穴４３ａと固定用軸２１のクリアランスは、０．１〜１．０ｍｍが望ましい。０．１ｍｍより小さいと、保持用ガイド穴４３ａと固定用軸２１の摩擦によりスプリング２２の伸縮に障害が生じる。１．０ｍｍより大きいと、固定用軸２１を垂直に保持できなくなる。クリアランスを小さく保持することにより、四角形棒状ゴム製弾性体２０を略垂直に保つとともに、ガタつきやスラスト方向への倒れを防止することができる。
【００４０】
四角形棒状ゴム製弾性体２０の横断面は、図２に示すように四角形である。四角形棒状ゴム製弾性体２０の戻り側ベルト３０の幅方向の幅Ｗ１と戻り側ベルト３０の進行方向の幅Ｗ２は、１０〜３０ｍｍがよい。幅Ｗ１は１０ｍｍ以下であると剛性が弱く掻き取り能力が小さくなる。３０ｍｍより大きくなると剛性が大きくなり、戻り側ベルト３０の進行方向への撓みが小さくなり、小さな凹凸に柔軟に追随しなくなるとともに、戻り側ベルト３０の幅方向の小さな凹凸に対して精密に当接性できなくなり掻き取り性能が低下する。従って、四角形棒状ゴム製弾性体２０の戻り側ベルト３０の進行方向に対する剛性をアップする場合は、幅Ｗ２を幅Ｗ１よりも大きくするのがよい。四角形棒状ゴム製弾性体２０の長さＬは５０〜３００ｍｍがよい。図２に示すように、長さＬは押し側板４１の上面４１ａから四角形棒状ゴム製弾性体２０の自由側端末２０ｂまでの長さである。５０ｍｍより短いと撓みが小さすぎて戻り側ベルト３０への追随性が低下する。３００ｍｍより長いと撓み量が大きすぎて掻き取り力が低下する。
【００４１】
従来のベルトクリーナは、幅１００〜５００ｍｍ程度のゴム弾性板もしくは金属板などにチップを取り付けた掻き板が主流であり、掻き板の幅が広すぎるため、チップ全面が戻り側ベルト３０表面に均一当接することは不可能であり、掻き取り残しが生じていた。又、掻き取り残しを解消するために掻き板を戻り側ベルト３０に無理に接触させようとすると押圧力が大きくなるので、戻り側ベルト３０を摩耗させたり、エンドレス部の剥がれ（突起物）を助長したりしてベルトを損傷させていた。この問題を解決するには、四角形棒状ゴム製弾性体２０の幅Ｗ１をできるだけ小さくして、四角形棒状ゴム製弾性体２０の自由側端末２０ｂが均一に戻り側ベルト３０表面を押圧するとともに、ベルト３０の突起物に対しては瞬時に回避し、回避後は瞬時に通常位置に復帰できることが不可欠である。
【００４２】
第２の解決手段は特許請求項２に示すように、前記架台４０の両端にフランジ４４を設け、該フランジ４４には、戻り側ベルト３０の幅方向に貫通孔４４ａが設けられ、該貫通孔４４ａにはネジ６２が設けられ、該ネジ６２にはスラストボルト６０が回転自在に取り付けられており、該スラストボルト６０を前記四角形棒状ゴム製弾性体２０に押し付けて、前記四角形棒状ゴム製弾性体２０のスラスト方向と垂直方向の動きを固定したことを特徴とするベルトクリーナ１０である。
【００４３】
図７は、架台４０の両側に、貫通孔４４ａを有するフランジ４４を設け、フランジ４４に設けたネジ（ナット６２）にスラストボルト６０を取付けたベルトクリーナ１０を断面した正面図である。ネジ（ナット６２）は貫通孔４４ａに形成してもよいが、図７，８，１０に示すように、ナット６２を溶接してネジを形成してもよい。フランジ４４は押し側板４１、受け側板４２、底板４３を一体化するように溶接固定する。
【００４４】
図７に示すように、四角形棒状ゴム製弾性体２０を戻り側ベルト３０に押し付けて、スプリング２２を撓ませることにより、四角形棒状ゴム製弾性体２０を精密に且つ適正な押し付け力で当接させることができるが、この状態を維持するためには、四角形棒状ゴム製弾性体２０の垂直方向と水平方向の動きを抑える必要がある。このため、スラストボルト６０の締め込みナット６１を回転させて、スラストボルト６０を四角形棒状ゴム製弾性体側２０に押し付けて、四角形棒状ゴム製弾性体２０を架台４０の両側から締め付ける。四角形棒状ゴム製弾性体２０は、隣り合う四角形棒状ゴム製弾性体２０同士が近接しているので、スラストボルト６０による押し付け力は全ての四角形棒状ゴム製弾性体２０に伝わり、四角形棒状ゴム製弾性体２０同士が互いに押し合うことにより、四角形棒状ゴム製弾性体２０の垂直方向と水平方向の動きを抑えることができる。
【００４５】
即ち、第１ステップとして、架台４０を戻り側ベルト３０の表面に当接するまで押し上げる。第２ステップとして、スプリング２２が目標の撓み量に圧縮されるまで、さらに四角形棒状ゴム製弾性体２０を戻り側ベルト３０に押し付ける。そして、第３ステップとして、架台４０の両側から、スラストボルト６０により四角形棒状ゴム製弾性体２０を締め付けることにより、四角形棒状ゴム製弾性体２０を強固に固定することができるのである。この方法によれば、それぞれの四角形棒状ゴム製弾性体２０を、個別に戻り側ベルト３０に当接させるための細かい位置決め作業が不要であり、位置決め後に、それぞれの四角形棒状ゴム製弾性体２０を、個別に固定する必要がなくなる。
【００４６】
第３の解決手段は特許請求項３に示すように、前記フランジ４４には、前記架台４０を支持するための支持用パイプ４５が取り付けられており、前記スラストボルト６０は、前記指示用パイプ４５に収納されていることを特徴とするベルトクリーナ１０である。
【００４７】
図８は、スラストボルト６０と倒れ防止板７０を設け、隣り合う四角形棒状ゴム製弾性体２０の間にスペーサ９０を挿入しているチップ８０付きベルトクリーナ１０の横断面図である。図１０はスラストボルト６０と倒れ防止板７０を設け、隣り合う四角形棒状ゴム製弾性体２０の間にスペーサ９０を挿入しているチップ８０付きベルトクリーナ１０を部分拡大した断面図である。
【００４８】
図７、８、１０に示すように、本ベルトクリーナ１０は、フランジ４４に支持パイプ４５を取付けて、架台４０を支持する構造である。フランジ４４にスラストボルト６０を取付けることにより、スラストボルト６０を支持パイプ４５の中に収納することができる。スラストボルト６０を支持パイプ４５に収納することにより、スラストボルト６０へのダストや水分の付着を防止できるので、スラストボルト６０の回転不良や腐食を抑制できる。又、ベルトクリーナ１０の取付け周辺部は狭いので、支持パイプ４５をスラストボルト６０の収納具として活用することで、ベルトクリーナ１０の構造をシンプルにすることができる。
【００４９】
第４の解決手段は特許請求項４に示すように、前記架台４０に列設した四角形棒状ゴム製弾性体２０の両側に、前記四角形棒状ゴム製弾性体２０の戻り側ベルト３０の幅よりも幅広の倒れ防止板７０を設けていることを特徴とするベルトクリーナ１０である。
【００５０】
図８、１０に示すように、倒れ防止板７０は、架台４０に列設した四角形棒状ゴム製弾性体２０の両側に設ける。倒れ防止板７０の戻り側ベルト３０の幅方向の幅Ｗ４は、四角形棒状ゴム製弾性体２０の幅Ｗ１よりも広いので、戻り側ベルト３０の幅方向、即ちスラスト方向の剛性が大きく、倒れ防止板７０の１点をスラストボルト６０で押し付けた際に、四角形棒状ゴム製弾性体２０には均一な押し付け力を伝達することができる。又、四角形棒状ゴム製弾性体２０の戻り側ベルト３０のスラスト力による撓みを抑えることができる。又、戻り側ベルト３０が蛇行した際に、戻り側ベルト３０が四角形棒状ゴム製弾性体２０の範囲からはみ出しても、倒れ防止板７０で支持できることから、戻り側ベルト３０の損傷を防止することができる。
【００５１】
第５の解決手段は特許請求項５に示すように、前記四角形棒状ゴム製弾性体２０の自由側端末２０ｂに、チップ８０を具備したことを特徴とするベルトクリーナ１０である。
【００５２】
図８、９、１０に示すように、四角形棒状ゴム製弾性体２０の自由側端末２０ｂに耐磨耗性のチップ８０を取付けている。
【００５３】
図９は、チップ８０付きベルトクリーナ１０の横断面図である。チップ８０は、戻り側ベルト３０の進行方向に対向する側面２０ｄ側に、補強板８２を挟んでボルト８１で取り付けられている。チップ８０を四角形棒状ゴム製弾性体２０に取り付ける方法は、この他にもいろいろな態様があり、例えば、金型成形法により、チップ８０を四角形棒状ゴム製弾性体２０に埋め込んだ取り付け方法などがある。
【００５４】
チップ８０の材質はセラミックスや超硬合金やサーメットを使用できる。セラミックスには、例えばアルミナ、窒化ケイ素、ジルコニア、炭化ケイ素などを使用できる。超硬合金には、例えばＷＣ−Ｃｏ系合金、ＷＣ−ＴｉＣ−Ｃｏ系合金、ＷＣ−ＴａＣ−ＴａＣ−Ｃｏ系合金などを使用できる。サーメットはＴｉＣやＴｉＮ、ＮｂＣを主成分とし、Ｃｏ、Ｎｉ、Ｍｏ等の金属との複合材料の焼結品が使用できる。
【００５５】
耐磨耗材からなるチップ８０を四角形棒状ゴム製弾性体２０の自由側端末２０ｂに取り付けることにより、四角形棒状ゴム製弾性体２０の寿命を延長でき、長期に渡り良好な掻き取り性能を維持できる。又、ベルトクリーナ１０の調整や取り換え頻度が減少するので生産性が向上する。
【００５６】
第６の解決手段は特許請求項６に示すように、前記四角形棒状ゴム製弾性体２０の前記自由側端末２０ｂにチップ８０を取り付けた四角形棒状ゴム製弾性体２０おいて、前記四角形棒状ゴム製弾性体２０の幅Ｗ１は前記チップの幅Ｗ３よりも小さくなっており、隣り合う前記四角形棒状ゴム製弾性体２０の間に厚みｔで、次式ｔ＝Ｗ３−Ｗ１を満たすスペーサ９０が挿入されていることを特徴とするベルトクリーナ１０である。
【００５７】
スペーサ９０の材質は、ウレタン、フッ素、プラスチックなどの樹脂からなる薄板やＳＵＳ、銅、チタン、炭素鋼などからなる金属薄板などを使用できる。四角形棒状ゴム製弾性体２０の戻り側ベルトの幅方向に面する側面２０ｅとスペーサ９０が摺動することから、フッ素樹脂薄板が望ましい。図８、１０に示すように、スペーサ９０は、架台４０の溝４０ａに挿入するため長方形薄板である。
【００５８】
図８、１０に示すように、隣り合う四角形棒状ゴム製弾性体２０の側面２０ｅ間に隙間を形成して、四角形棒状ゴム製弾性体２０の側面２０ｅ同士が接触しないようする。側面２０ｅ同士が接触すると隣り合うチップ８０が干渉し、四角形棒状ゴム製弾性体２０の円滑な搖動運動ができなくなる。四角形棒状ゴム製弾性体２０の隣り合う隙間に、厚みｔで、ｔ＝（Ｗ３−Ｗ１）を満たすスペーサ９０を挿入する。スペーサ９０の厚みは、０．３〜２．０ｍｍがよい。０．３ｍｍ以下になると、四角形棒状ゴム製弾性体２０に戻り側ベルト３０のスラスト力が作用した際に、四角形棒状ゴム製弾性体２０の側面２０ｅが接触し、四角形棒状ゴム製弾性体２０が元の形状に復帰できなくなる。２．０ｍｍ以上になると、四角形棒状ゴム製弾性体２０の断面係数が低下し弾性力が小さくなることから、戻り側ベルト３０に対する押圧力が低下するので掻き取り性能が低下する。
【００５９】
このため、スペーサ９０は、四角形棒状ゴム製弾性体２０の隣り合う隙間を確実に保持するための役割を有している。スペーサ９０の無い状態で、四角形棒状ゴム製弾性体をスラストボルトで締め付けると、四角形棒状ゴム製弾性体の側面２０ｄがお互いに競り合って、四角形棒状ゴム製弾性体の円滑な搖動運動が妨げられる。
【００６０】
又、スペーサ９０の高さｈ１は、押し側板４１の上面４１ａの高さｈ２よりも低くする。四角形棒状ゴム製弾性体は押し側板４１の上面４１ａより上方に突き出ている部分が搖動する。そのため、ｈ１がｈ２よりも高いと、四角形棒状ゴム製弾性体２０同士がスペーサ９０を仲介して干渉し、戻り側ベルト３０の進行方向に対する円滑な搖動運動ができなくなるからである。
【００６１】
第７の解決手段は特許請求項７に示すように、前記架台４０の前記溝４０ａに列設された前記四角形棒状ゴム製弾性体２０と前記押し側板４１の間に、押し付け板４７が挿入されており、前記押し側板４１には、前記戻り側ベルト３０の幅方向に複数の押し付けボルト４８が転動自在に取り付けられており、該押し付けボルト４８で前記押し付け板４７を押し付けることにより、前記四角形棒状ゴム製弾性体２０を受け側板４２に押し付けて固定することを特徴とするベルトクリーナ１０である。
【００６２】
図１１は、溝４０ａに押し付け板４７を挿入したベルトクリーナ１０の横断面図である。図１２は、溝４０ａに押し付け板４７を挿入したベルトクリーナ１０の部分断面斜視図である。図１３は、スラストボルト６０と押し付け板４７を組み合わせたベルトクリーナ１０の断面図である。図１４は、スラストボルト６０と押し付け板４７を組み合わせたベルトクリーナ１０の断面斜視図である。
【００６３】
図１１と図１２において、四角形棒状ゴム製弾性体を列設した架台４０を上昇させて、四角形棒状ゴム製弾性体２０を戻り側ベルト３０の表面に押圧させると、戻り側ベルト３０の幅方向の凹凸の形状に合わせてスプリング２２が撓んで、四角形棒状ゴム製弾性体２０の自由側端末２０ｂと戻り側ベルト３０の表面を精密に当接させることができる。この後、ナット４９に回転自在に取り付けられた押し付けボルト４８をネジ込んで、四角形棒状ゴム製弾性体２０を押し付け板４７と受け側板４２で強く挟み込むことにより、四角形棒状ゴム製弾性体２０のガタを抑えることができる。このため、四角形棒状ゴム製弾性体２０の自由側端末２０ｂは、戻り側ベルト３０の幅方向の形状を確実に保持することができる。四角形棒状ゴム製弾性体２０の先端側面２０ｄにチップ８０を取付けている場合も、同様にチップ８０と戻り側ベルト３０を精密に当接させることができる。四角形棒状ゴム製弾性体２０の自由側端末２０ｂやチップ８０が戻り側ベルト３０に精密に当接することにより、戻り側ベルト３０の表面に付着した付着物を確実に掻き落とすことができる。
【００６４】
図１３と図１４において、四角形棒状ゴム製弾性体２０を列設した架台４０を上昇させて、四角形棒状ゴム製弾性体２０を戻り側ベルト３０の表面に押圧させると、戻り側ベルト３０の凹凸の形状に合わせてスプリング２２が撓んで、四角形棒状ゴム製弾性体２０の自由側端末２０ｂと戻り側ベルトの表面を精密に当接させることができる。この後、フランジ４４に取り付けた締め込みナット６１に回転自在に取り付けたスラストボルト６０をネジ込んで、四角形棒状ゴム製弾性体の側面２０ｅに押し付けることにより、四角形棒状ゴム製弾性体２０のガタを抑えることができる。このため、四角形棒状ゴム製弾性体２０の自由側端末２０ｂは、戻り側ベルト３０の幅方向の形状を確実に保持することができる。スラストボルト６０の締め付けは、ベルトコンベアの外側から可能であり、作業者が安全にかつ衛生的な環境で作業できる。又、この後、押し付けボルト４８をネジ込んで、四角形棒状ゴム製弾性体２０を押し付け板４７と受け側板４２で強く挟み込むことにより、四角形棒状ゴム製弾性体２０を架台４０に強固に固定できる。
【００６５】
又、図１３と図１４のベルトクリーナ１０における現場取り付け方法を示す。（１）四角形棒状ゴム製弾性体２０を列設した架台４０を戻り側ベルト３０の表面に押し付ける。（２）スプリング２２を撓ませて、四角形棒状ゴム製弾性体２０の自由側端末２０ｂと戻り側ベルト３０を精密に当接させる。（３）スラストボルト６０を締めつけて、四角形棒状ゴム製弾性体２０のガタを抑える。この段階で、戻り側ベルト３０の幅方向の形状に対して、四角形棒状ゴム製弾性体２０の自由側端末２０ｂの戻り側ベルト３０の幅方向の形状を略同一に保持することができる。（４）一旦、ベルトクリーナ１０を機外に取り出す。（５）機外にて、押し付けボルト４８で押し付け板４７を押し付けて、四角形棒状ゴム製弾性体２０を押し付け板４７と受け側板４２で挟み込んで固定する。（６）ベルトクリーナ１０を機内に再度取り付ける。以上のような手順を踏むことにより、コンベアの機内に入ることなく、安全で衛生的な環境でベルトクリーナ１０を戻り側ベルト３０の下部に取付けることができる。
【００６６】
図８や図９のように、四角形棒状ゴム製弾性体２０の両側に倒れ防止板７０を設けている場合でも、倒れ防止板の側面７０ａを押し付けることにより四角形棒状ゴム製弾性体２０をスラストボル６０トや押し付け板４７で固定することができる。
【００６７】
１０：ベルトクリーナ
２０：四角形棒状ゴム製弾性体
２０ａ：（四角形棒状ゴム製弾性体の）固定側端末
２０ｂ：（四角形棒状ゴム製弾性体の）自由側端末
２０ｃ： 中心軸
２０ｄ：（戻り側ベルトの進行方向に対向する四角形棒状ゴム製弾性体の）側面
２０ｅ：（戻り側ベルトの幅方向に対向する四角形棒状ゴム製弾性体の）側面
２１：固定用軸
２１ａ：貫通孔
２１０：ピン
２１１：ボルト
２１２：凹凸部
２１３：アンカー孔
２２：スプリング
３０：戻り側ベルト
４０：架台
４０ａ：溝
４１：押し側板
４１ａ：押し側板上面
４２：受け側板
４３：底板
４３ａ：保持用ガイド穴
４４：フランジ
４５：支持パイプ
４６：ベルトクリーナ取付け基部
４７：押し付け板
４８：押し付けボルト
４９：ナット
５０： コンベア架台
６０：スラストボルト
６１：締め込みナット
６２：ナット（ネジ）
７０：倒れ防止板
７０ａ：（倒れ防止板の）側面
８０：チップ
８１：ネジ
８２：補強板
９０：スペーサ
Ｗ１：戻り側ベルトの幅方向の四角形棒状ゴム製弾性体の幅
Ｗ２：戻り側ベルトの進行方向の四角形棒状ゴム製弾性体の幅
Ｗ３：チップの幅
Ｗ４：倒れ防止板の幅
Ｌ：四角形棒状ゴム製弾性体の長さ
ｈ１：スペーサの高さ
ｈ２：押し側板の高さ
【図１】
2017190245.tif 000003
【図２】
2017190245.tif 000004
【図３】
2017190245.tif 000005
【図４】
2017190245.tif 000006
【図５】
2017190245.tif 000007
【図６】
2017190245.tif 000008
【図７】
2017190245.tif 000009
【図８】
2017190245.tif 000010
【図９】
2017190245.tif 000011
【図１０】
2017190245.tif 000012
【図１１】
2017190245.tif 000013
【図１２】
2017190245.tif 000014
【図１３】
2017190245.tif 000015
【図１４】
2017190245.tif 000016
【手続補正書】
【提出日】平成28年9月19日(2016.9.19)
【手続補正１】
【補正対象書類名】特許請求の範囲
【補正対象項目名】全文
【補正方法】変更
【補正の内容】
【特許請求の範囲】
【請求項１】
複数の四角形棒状ゴム製弾性体が、戻り側ベルトの幅方向に配設された架台の溝に列設されたベルトクリーナにおいて、それぞれの前記四角形棒状ゴム製弾性体の固定側端末に、前記四角形棒状ゴム製弾性体の中心軸方向に固定用軸が取り付けられており、該固定用軸は、前記架台の底板に設けた保持用ガイド穴に挿入され、前記四角形棒状ゴム製弾性体を垂直に保持しており、且つ、前記固定用軸には、スプリングが挿入されており、該スプリングは、前記四角形棒状ゴム製弾性体の固定側端末と前記底板の間に挟まれており、前記架台の両端にフランジが設けられ、該フランジには、戻り側ベルトの幅方向に貫通孔が設けられ、該貫通孔にはネジが設けられ、該ネジにはスラストボルトが回転自在に取り付けられており、前記四角形棒状ゴム製弾性体を上方に押し上げ、前記スプリングを撓ませて、前記四角形棒状ゴム製弾性体と前記戻り側ベルトを当接せしめた後、前記スラストボルトを前記四角形棒状ゴム製弾性体に押し付けて、前記四角形棒状ゴム製弾性体のスラスト方向と垂直方向の動きを固定したことを特徴とするベルトクリーナ。
【請求項２】
前記フランジには、前記架台を支持するための支持用パイプが取り付けられており、前記スラストボルトは、前記支持用パイプに収納されていることを特徴とする請求項１記載のベルトクリーナ。
【手続補正２】
【補正対象書類名】明細書
【補正対象項目名】全文
【補正方法】変更
【補正の内容】
【発明の詳細な説明】
【技術分野】
【０００１】
本発明は原材料の輸送に用いるベルトコンベアの戻り側ベルト表面に付着した付着物を掻き取るベルトクリーナであり、ベルトの形状に合わせて掻き取り部の高さ調整を可能にしたベルトクリーナに関するものである。
【背景技術】
【０００２】
一般にベルトコンベアは駆動プーリと従動プーリとの間に所定幅のゴム製ベルトをエンドレスに巻き付け、駆動プーリを回転させることによりベルトを両プーリ間で周回運動させるものである。通常搬送物はキャリアベルト（搬送側ベルト）に載せて搬送され、駆動プーリ側で払い出されリターンベルト（戻り側ベルト）となり従動プーリへ戻るが、戻り側ベルト表面に付着した搬送物（ベルトへの付着物）が途中で落下し、戻り側ベルト下に堆積する問題があった。又、付着物はリターンローラやスナッププーリを摩耗させたり、これらのローラに付着し、戻り側ベルトを蛇行させたりする問題があった。
【０００３】
通常、戻り側ベルトの付着物を効率的に掻き落として回収するために、戻り側ベルトの最先端にベルトクリーナを設置している。ベルトクリーナには、固定された掻き板を戻り側ベルトに押し付けることにより付着物を掻き板で掻き取るスクレーパ式、ブラシを戻り側ベルトに接触させるブラシ方式、高圧の流体を吹き付ける洗浄方式などがあるが、構造が簡単で取り換えの容易なスクレーパ方式が多用されている。
【０００４】
コンベアベルトは使用するにつれ徐々に摩耗するが、均一に摩耗するのではなく中央部が選択的に大きく摩耗する。従ってベルトが古くなるとベルト中央部と端部では数ミリの厚み差が生じる。又、機長の長いベルトになると、コストや作業時間の制約の点からベルトの取り換えを全長に渡り一括してやらない場合もあり、中央部が大きく摩耗している古いベルトと摩耗していない新しいベルトが混在することもある。摩耗状態が不均一なベルトに対して、ベルトクリーナの高さ調整は、摩耗の一番大きな部分に合わせることになるが、押圧力はベルトの幅方向で不均一になってしまう。又、ベルトのエンドレス部（繋ぎ部）は経年的に剥離してエンドレス端部が剥がれてくる。この剥がれ部は戻り側ベルト表面から突き出ているのでベルトクリーナの撓み限界を超えるとベルトクリーナを破損する危険性がある。又、ベルトクリーナの押圧力が大きいとエンドレスの剥がれを助長したりしてベルト損傷の要因となる。従って、ベルトクリーナはベルト表面の付着物を掻き取るために不可欠であるが、適切な取り付けや使用方法を逸脱するとベルトを破損させ生産障害を起こす場合がある。今まで様々な形状、機能のベルトクリーナが提案されているが未だメンテナンスフリーで掻き取り効率に優れたベルトクリーナは具現化されていない。
【０００５】
スクレーパ式のベルトクリーナに必要な要件は以下である。（１）ベルトクリーナを戻り側ベルトの表面に取り付ける際に、戻り側ベルトの幅方向の凹凸に対して、クリーナの掻き取り部（チップ）を精密に当接できるようにする。（２）チップの摩耗による掻き取り性能の低下に合わせて、チップが上昇し、自動的に掻き取り性能を回復できるようにする。（３）戻り側ベルトの強固な付着物やエンドレス部（接続部）の剥離に対して、チップが戻り側ベルトの走行方向に大きく撓んで、障害物を瞬時にやり過ごしてベルトクリーナの破損を回避すると同時に、正常な掻き取り状態に瞬時に復帰できる。（４）長期間にわたり確実に付着物を掻き取ることができる。（５）チップの寿命が長く、交換が容易である。（６）ベルトクリーナの調整周期や取り換え周期が長く、調整や取付け取り外しが容易である。（７）ベルトクリーナ本体に付着物が付着しない、もしくは付着物の量が極めて少ない。以上の特性を満足しようとして従来多種多様のベルトクリーナが提案されているが、満足できる方法は具現化されていない。
【０００６】
特開平１１−２９２２５０号広報において、長方形の掻き板を戻り側ベルトに押し当てて、付着物を掻き取る方法が示されている。この方法においては、凸円弧状の変形をしている戻り側ベルトに正確に当接できず掻き取り残しが発生していた。又、掻き板が摩耗して掻き取り性能が低下した場合は、コンベアを停止して、掻き板と戻り側ベルトの当接状態を調整する必要があった。又、掻き板は剛性が大きく柔軟に撓めないため、エンドレスのめくれやベルトに付着した突起物が衝突した際に、ベルトや掻き板を損傷させる問題があった。
【０００７】
特開２０１３−２５２９７６号広報において、スクレーパ式のクリーナの問題点を解決するために四角形棒状ゴム製弾性体の先端にチップを取り付けたクリーナが開示されている。この方法においては、戻り側ベルトの強固な付着物やエンドレスのめくれなどの突起を瞬時に回避可能であるが、実機取り付けの際に、戻り側ベルトの上側に凸円弧状の形状に追随するためのチップの高さ調整が困難であった。
【０００８】
実開昭５２−１４４５９０号広報において、ベルトの幅方向に列設した複数のスクレーパを板バネで支持し、板バネをセットボルトで弾性的に撓ませてスクレーパの高さ調整をするベルトクリーナが示されている。この方法においては、板バネが円弧状に上昇すると、スクレーパが扇形に開き、スクレーパの先端に隙間が生じ、線状の掻き取り残しが発生していた。又、スクレーパの剛性が大きい場合は、戻り側ベルトの突起物を瞬時に撓んで回避できないため、ベルトやベルトクリーナが損傷していた。又、ボルトの本数が少ないので、掻き取り部を精密に戻り側ベルトの表面に当接させることは出来ず、掻き取り性能が低下していた。
【０００９】
特開２０１３−２３３５３号広報において、掻き取りブロック同士を互いに分離しないようにワイヤで連結し、掻き取りブロックをボルトなどの位置決め部材で支持したベルトクリーナが示されている。この方法によれば、ワイヤが緩んでいるときは、掻き取りブロック同士が分離したり、掻き取りブロックの先端が扇形に開き線状の掻き取り残しが生じたりする問題があった。又、掻き取りブロックが金属酸化物の焼結体の場合は、掻き取りブロックの剛性が大きいため、戻り側ベルトの突起物を瞬時に撓んで回避できず、ベルトやベルトクリーナが損傷していた。又、ボルト調整するためには、戻り側ベルトの下部に人願が入り込んで作業しなければならず、安全面や環境面で問題があった。又、多数のボルトを調整して、掻き取り部を戻り側ベルトに当接するには多大な時間を要し、長期のコンベア停止時間が必要であった。
【００１０】
特開２０１３−１９６３５０号広報において、押し側板と受け側板からなる架台の溝に、スティックを列設し、押し側板に設けた複数のボルトで、押え板を押し込んでスティックを固定する方法が示されている。この方法では、スティックの高さ調整ができないため、スティックと戻り側ベルトが正確に当接できず掻き取り残しが発生していた。
【先行技術文献】
【特許文献】
【００１１】
【特許文献０１】特開平１１−２９２２５０号広報
【特許文献０２】特開２０１３−２５２９７６号広報
【特許文献０３】実開昭５２−１４４５９０号広報
【特許文献０４】特開２０１３−２３３５３号広報
【特許文献０５】特開２０１３−１９６３５０号広報
【発明の概要】
【発明が解決しようとする課題】
【００１２】
本発明は以下の課題を解決するものである。（１）ベルトクリーナの掻き取り部の高さ調整を、戻り側ベルトの下部に人間が入ることなく可能とする。（２）ベルトクリーナの掻き取り部である四角形棒状ゴム製弾性体の高さを、実機取り付けの際に、戻り側ベルトの形状に合わせて自動的に調整可能にする。（３）それぞれの四角形棒状ゴム製弾性体の高さを、個別に調整できるようにする。（４）掻き取り部（チップ）の摩耗に合わせて、自動的にチップが上昇し、チップと戻り側ベルトの表面が常に適切に当接できるようにする。（５）四角形棒状ゴム製弾性体が戻り側ベルトの突起物により大きく撓んだ際にきちんと通常の掻き取り位置に復帰できるようにする。
【課題を解決するための手段】
【００１３】
第１の解決手段は特許請求項１に示すように、複数の四角形棒状ゴム製弾性体が、戻り側ベルトの幅方向に配設された架台の溝に列設されたベルトクリーナにおいて、それぞれの前記四角形棒状ゴム製弾性体の固定側端末に、前記四角形棒状ゴム製弾性体の中心軸方向に固定用軸が取り付けられており、該固定用軸は、前記架台の底板に設けた保持用ガイド穴に挿入され、前記四角形棒状ゴム製弾性体を垂直に保持しており、且つ、前記固定用軸には、スプリングが挿入されており、該スプリングは、前記四角形棒状ゴム製弾性体の固定側端末と前記底板の間に挟まれており、前記架台の両端にフランジが設けられ、該フランジには、戻り側ベルトの幅方向に貫通孔が設けられ、該貫通孔にはネジが設けられ、該ネジにはスラストボルトが回転自在に取り付けられており、前記四角形棒状ゴム製弾性体を上方に押し上げ、前記スプリングを撓ませて、前記四角形棒状ゴム製弾性体と前記戻り側ベルトを当接せしめた後、前記スラストボルトを前記四角形棒状ゴム製弾性体に押し付けて、前記四角形棒状ゴム製弾性体のスラスト方向と垂直方向の動きを固定したことを特徴とするベルトクリーナである。
【００１４】
第２の解決手段は特許請求項２に示すように、前記フランジには、前記架台を支持するための支持用パイプが取り付けられており、前記スラストボルトは、前記支持用パイプに収納されていることを特徴とするベルトクリーナである。
【発明の効果】
【００１５】
第１の解決手段による効果は以下である。（１）四角形棒状ゴム製弾性体を戻り側ベルトに押し当てることにより、スプリングが撓んで、四角形棒状ゴム製弾性体と戻り側ベルトが適切な圧着力を有した状態で精密に当接できる。この状態で、スラストボルトをネジ込んで、四角形棒状ゴム製弾性体を押し付けることにより、隣り合う四角形棒状ゴム製弾性体が、スラスト方向（戻り側ベルトの幅方向）に圧着されるので、四角形棒状ゴム製弾性体が垂直方向とスラスト方向に拘束され、位置決めすることができる。（２）スラストボルトはベルトコンベアの外から操作できるので、安全作業が可能である。（３）四角形棒状ゴム製弾性体の固定側端末に固定用軸が取り付けられ、固定用軸は底板の保持用ガイド穴に挿入されているので、四角形棒状ゴム製弾性体を垂直に且つ強固に架台に取り付けることができる。（４）四角形棒状ゴム製弾性体と固定用軸が一体となっているので、固定用軸を底板の保持用ガイド穴に挿入するだけで、四角形棒状ゴム製弾性体と架台を正確に且つ簡単に組立てることができる。（５）戻り側ベルトの進行方向の摩擦力（水平力）に対して、保持用ガイド穴と固定用軸の間にモーメントが作用することから、四角形棒状ゴム製弾性体がすっぽ抜けなくなる。
【００１６】
第２解決手段による効果は以下である。（１）スラストボルトが支持パイプ内に収納されているので、ダスト付着や腐食が低減され、長期に渡りスラストボルトを健全な状態に維持できる。（２）スラストボルトが支持パイプに収納されているので、ベルトクリーナをコンパクトな構造にできる。
【図面の簡単な説明】
【００１７】
【図１】はベルトクリーナを部分断面した全体斜視図。
【図２】は固定用軸にスプリングを挿入した部分断面図。
【図３】は固定用軸にスプリングを取付けた部分正面断面図。
【図４】は固定用軸の四角形棒状ゴム製弾性体への取付け例の断面図。
【図５】は固定用軸にスプリングを挿入したベルトクリーナ正面図の断面図。
【図６】は固定用軸にスプリングを挿入したベルトクリーナと戻り側ベルトの縦断面図。
【図７】はスラストボルト設けたベルトクリーナ正面図断面図。
【図８】はスラストボルトと倒れ防止板を設け、隣り合う四角形棒状ゴム製弾性体の間にスペーサを挿入しているチップ付きベルトクリーナの横断面図。
【図９】はチップ付きベルトクリーナの横断面図。
【図１０】はスラストボルトと倒れ防止板を設け、隣り合う四角形棒状ゴム製弾性体の間にスペーサを挿入しているチップ付きベルトクリーナを部分拡大した断面図。
【発明を実施するための形態】
【００１８】
本発明の実施形態を請求項１〜請求項２及び図１〜図１０に基づいて説明する。
【００１９】
第１の解決手段は特許請求項１に示すように、複数の四角形棒状ゴム製弾性体２０が、戻り側ベルト３０の幅方向に配設された架台４０の溝４０ａに列設されたベルトクリーナ１０において、それぞれの前記四角形棒状ゴム製弾性体２０の固定側端末２０ａに、前記四角形棒状ゴム製弾性体２０の中心軸２０ｃ方向に固定用軸２１が取り付けられており、該固定用軸２１は、前記架台４０の底板４３に設けた保持用ガイド穴４３ａに挿入され、前記四角形棒状ゴム製弾性体２０を垂直に保持しており、且つ、前記固定用軸２１には、スプリング２２が挿入されており、該スプリング２２は、前記四角形棒状ゴム製弾性体２０の固定側端末２０ａと前記底板４３の間に挟まれており、前記架台４０の両端にフランジ４４が設けられ、該フランジ４４には、戻り側ベルト３０の幅方向に貫通孔４４ａが設けられ、該貫通孔４４ａにはネジ６２が設けられ、該ネジ６２にはスラストボルト６０が回転自在に取り付けられており、前記四角形棒状ゴム製弾性体２０を上方に押し上げ、前記スプリング２２を撓ませて、前記四角形棒状ゴム製弾性体２０と前記戻り側ベルト３０を当接せしめた後、前記スラストボルト６０を前記四角形棒状ゴム製弾性体２０に押し付けて、前記四角形棒状ゴム製弾性体２０のスラスト方向と垂直方向の動きを固定したことを特徴とするベルトクリーナ１０である。
【００２０】
図１は、ベルトクリーナ１０を部分断面した全体斜視図である。図２は、四角形棒状ゴム製弾性体２０と底板４３の間にスプリング２２を載置して、固定用軸２１をスプリング２２と保持用ガイド穴４３ａに挿入した部分断面図である。図３は、四角形棒状ゴム製弾性体２０と底板４３の間にスプリング２２を載置して、固定用軸２１をスプリング２２と保持用ガイド穴４３ａに挿入した部分拡大断面図である。図４は四角形棒状ゴム製弾性体２０への固定用軸２１の取付け方法の例を示した断面図である。図５は固定用軸２１とスプリング２２を取付けた四角形棒状ゴム製弾性体２０を列設したベルトクリーナ１０全体を横断面した正面図である。図６は、固定用軸２１とスプリング２２を取付けた四角形棒状ゴム製弾性体２０を列設したベルトクリーナ１０を、戻り側ベルト３０に当接させた場合の正面図の縦断面図である。
【００２１】
本ベルトクリーナ１０の構造を図１ないし図６に基づいて説明する。複数の四角形棒状ゴム製弾性体２０が架台４０の溝４０ａに列設されて固定されている。四角形棒状ゴム製弾性体２０は、溝型の架台４０に設けた溝４０ａに挿入されている。溝４０ａは押し側板４１と受け側板４２及び底板４３で構成されている。四角形棒状ゴム製弾性体２０の固定側端末２０ａには中心軸２０ｃ方向に固定用軸２１が取り付けられており、固定用軸２１は、底板４３に設けられた保持用ガイド穴４３ａに挿入されている。四角形棒状ゴム製弾性体２０と底板４３の間には、固定用軸２１を嵌装したスプリング２２が載置されている。架台４０の両側にはフランジ４４が取り付けられ、フランジ４４に支持パイプ４５が取り付けられている。支持パイプ４５はコンベア架台５０に固定されたベルトクリーナ取付け基部４６で固定されている。
【００２２】
本ベルトクリーナ１０を戻り側ベルト３０に対してセットする手順を図１ないし図６に基づいて説明する。第１ステップとして、架台４０を戻り側ベルト３０の表面に当接するまで押し上げる。第２ステップとして、スプリング２２が目標の撓み量に圧縮されるまで、さらに四角形棒状ゴム製弾性体２０を戻り側ベルト３０に押し付ける。スプリング２２が撓むことにより、戻り側ベルト３０の幅方向の凹凸に対して、四角形棒状ゴム製弾性体２０は適切な押し付け力で戻り側ベルト３０に当接することができる。以上の様に、第１、第２ステップの作業は、多数の掻き取り部を有するベルトクリーナ１０の高さ調整作業を、人間が戻り側ベルト３０の下部に入らなくても可能にしたものであり、安全面や環境面でベルトクリーナ１０の取り付け作業を大幅に改善したものである。
【００２３】
四角形棒状ゴム製弾性体２０が摩耗するにつれて、摩耗量に応じて四角形棒状ゴム製弾性体２０がスプリング２２によって押し上げられ、四角形棒状ゴム製弾性体２０は常に適切な押し付け力を維持することができるので、良好な掻き取り性能が長期に渡り自動的に維持される。このため、ベルトクリーナ１０の調整周期や取り換え周期を大幅に延長できるので、生産性の向上やメンテナンスの効率化を具現化できる。
【００２４】
四角形棒状ゴム製弾性体２０を戻り側ベルト３０にスプリング２２の弾性力で押し付けることにより、戻り側ベルト３０の進行方向の摩擦力により、四角形棒状ゴム製弾性体２０が戻り側ベルト３０の進行方向に倒れる。四角形棒状ゴム製弾性体２０が倒れることにより、戻り側ベルト３０に適度な弾力性を有した押圧力が加わり、戻り側ベルト３０の凹凸や振動による上下変動に対して瞬時に追随して付着物を掻き取ることができる。
【００２５】
四角形棒状ゴム製弾性体２０は自由側端末２０ｂを戻り側ベルト３０に押圧するための押圧力が必要であるとともに戻り側ベルト３０の微妙な凹凸に柔軟に追随する必要がある。そのため、四角形棒状ゴム製弾性体２０はゴムを使用する。ゴムには例えば天然ゴムや合成天然ゴム、スチレン、ブタジエンゴム、クロロプレンゴム、アクリルゴム、ニトリルゴム、ウレタンゴム、フッ素ゴムなどが使用できる。
【００２６】
四角形棒状ゴム製弾性体２０に取り付けた固定用軸２１は、炭素鋼、ＳＵＳ、チタン、銅などの金属棒やプラスチックなどの樹脂が使用できる。固定用軸２１の径は３〜１０ｍｍがよい。３ｍｍより細いと、戻り側ベルト３０の摩擦力によるスラスト力や水平力で曲がる恐れがある。又、１０ｍｍより太いと、架台４０の底板４３の保持用ガイド穴４３ａの径が大きくなり、底板４３の剛性が低下する問題がある。
【００２７】
四角形棒状ゴム製弾性体２０への固定用軸２１の取付け方法は、図２に示すように、予め、四角形棒状ゴム製弾性体２０に穴を設けて、固定用軸２１を挿入し、接着剤で接合することができる。又、四角形棒状ゴム製弾性体２０を金型で成形する際に、固定用軸２１を予め金型にセットすることにより、四角形棒状ゴム製弾性体２０と固定用軸２１を一体的に成形することができる。金型で一体的に成形する場合は、図４（ａ）のように、固定用軸２１に貫通孔２１ａを設け、ピン２１０を固定する方法、図４（ｂ）のように、貫通孔２１ａにボルト２１１を固定する方法、図４（ｃ）のように、固定用軸に凹凸部２１２を設け、ゴム材を食い込ませる方法、図４（ｄ）のように大きな断面積のアンカー孔２１３を設け、ゴム材をアンカー孔２１２に充填することでアンカーとする方法などがあり、固定用軸２１のすっぽ抜けを防止できる。
【００２８】
スプリング２２の内径は４〜１２ｍｍがよい。４ｍｍより細いと、固定用軸２１と接触し伸縮の障害となる。１２ｍｍより太いと隣り合うスプリング２２と干渉し、伸縮の障害となる。スプリング２２の伸縮量は５〜３０ｍｍがよい。５ｍｍ以下であると、戻り側ベルト３０の表面の凹凸量よりも小さくなり精密な当接ができない。３０ｍｍより大きいと、戻り側ベルト３０の進行方向の摩擦力で四角形棒状ゴム製弾性体２０がすっぽ抜ける問題が生じる。スプリング２２の材質はステンレスやバネ鋼が適している。
【００２９】
請求項１の発明においては、図４、図５、図６に示すように、四角形棒状ゴム製弾性体２０に取り付けた固定用軸２１にスプリング２２を挿入して、底板４３の保持用ガイド穴４３ａに挿入することにより、四角形棒状ゴム製弾性体２０の高さ調整や架台４０の長手方向の芯出し調整をすることなく、簡単にしかも精密に四角形棒状ゴム製弾性体２０を架台４０に列設することができる。図３に示すように、保持用ガイド穴４３ａを架台４０の底板４３に正確に穿孔することにより、四角形棒状ゴム製弾性体２０を高精度で架台４０の溝４０ａに列設できる。保持用ガイド穴４３ａと固定用軸２１のクリアランスは、０．１〜１．０ｍｍが望ましい。０．１ｍｍより小さいと、保持用ガイド穴４３ａと固定用軸２１の摩擦によりスプリング２２の伸縮に障害が生じる。１．０ｍｍより大きいと、固定用軸２１を垂直に保持できなくなる。クリアランスを小さく保持することにより、四角形棒状ゴム製弾性体２０を略垂直に保つとともに、ガタつきやスラスト方向への倒れを防止することができる。
【００３０】
四角形棒状ゴム製弾性体２０の横断面は、図２に示すように四角形である。四角形棒状ゴム製弾性体２０の戻り側ベルト３０の幅方向の幅Ｗ１と戻り側ベルト３０の進行方向の幅Ｗ２は、１０〜３０ｍｍがよい。幅Ｗ１は１０ｍｍ以下であると剛性が弱く掻き取り能力が小さくなる。３０ｍｍより大きくなると剛性が大きくなり、戻り側ベルト３０の進行方向への撓みが小さくなり、小さな凹凸に柔軟に追随しなくなるとともに、戻り側ベルト３０の幅方向の小さな凹凸に対して精密に当接性できなくなり掻き取り性能が低下する。従って、四角形棒状ゴム製弾性体２０の戻り側ベルト３０の進行方向に対する剛性をアップする場合は、幅Ｗ２を幅Ｗ１よりも大きくするのがよい。四角形棒状ゴム製弾性体２０の長さＬは５０〜３００ｍｍがよい。図２に示すように、長さＬは押し側板４１の上面４１ａから四角形棒状ゴム製弾性体２０の自由側端末２０ｂまでの長さである。５０ｍｍより短いと撓みが小さすぎて戻り側ベルト３０への追随性が低下する。３００ｍｍより長いと撓み量が大きすぎて掻き取り力が低下する。
【００３１】
従来のベルトクリーナは、幅１００〜５００ｍｍ程度のゴム弾性板もしくは金属板などにチップを取り付けた掻き板が主流であり、掻き板の幅が広すぎるため、チップ全面が戻り側ベルト３０表面に均一当接することは不可能であり、掻き取り残しが生じていた。又、掻き取り残しを解消するために掻き板を戻り側ベルト３０に無理に接触させようとすると押圧力が大きくなるので、戻り側ベルト３０を摩耗させたり、エンドレス部の剥がれ（突起物）を助長したりしてベルトを損傷させていた。この問題を解決するには、四角形棒状ゴム製弾性体２０の幅Ｗ１をできるだけ小さくして、四角形棒状ゴム製弾性体２０の自由側端末２０ｂが均一に戻り側ベルト３０表面を押圧するとともに、ベルト３０の突起物に対しては瞬時に回避し、回避後は瞬時に通常位置に復帰できることが不可欠である。
【００３２】
図７は、架台４０の両側に、貫通孔４４ａを有するフランジ４４を設け、フランジ４４に設けたネジ（ナット６２）にスラストボルト６０を取付けたベルトクリーナ１０を断面した正面図である。ネジ（ナット６２）は貫通孔４４ａに形成してもよいが、図７，８，１０に示すように、ナット６２を溶接してネジを形成してもよい。フランジ４４は押し側板４１、受け側板４２、底板４３を一体化するように溶接固定する。
【００３３】
図７に示すように、四角形棒状ゴム製弾性体２０を戻り側ベルト３０に押し付けて、スプリング２２を撓ませることにより、四角形棒状ゴム製弾性体２０を精密に且つ適正な押し付け力で当接させることができるが、この状態を維持するためには、四角形棒状ゴム製弾性体２０の垂直方向と水平方向の動きを抑える必要がある。このため、スラストボルト６０の締め込みナット６１を回転させて、スラストボルト６０を四角形棒状ゴム製弾性体側２０に押し付けて、四角形棒状ゴム製弾性体２０を架台４０の両側から締め付ける。四角形棒状ゴム製弾性体２０は、隣り合う四角形棒状ゴム製弾性体２０同士が近接しているので、スラストボルト６０による押し付け力は全ての四角形棒状ゴム製弾性体２０に伝わり、四角形棒状ゴム製弾性体２０同士が互いに押し合うことにより、四角形棒状ゴム製弾性体２０の垂直方向と水平方向の動きを抑えることができる。
【００３４】
即ち、第１ステップとして、架台４０を戻り側ベルト３０の表面に当接するまで押し上げる。第２ステップとして、スプリング２２が目標の撓み量に圧縮されるまで、さらに四角形棒状ゴム製弾性体２０を戻り側ベルト３０に押し付ける。そして、第３ステップとして、架台４０の両側から、スラストボルト６０により四角形棒状ゴム製弾性体２０を締め付けることにより、四角形棒状ゴム製弾性体２０を強固に固定することができるのである。この方法によれば、それぞれの四角形棒状ゴム製弾性体２０を、個別に戻り側ベルト３０に当接させるための細かい位置決め作業が不要であり、位置決め後に、それぞれの四角形棒状ゴム製弾性体２０を、個別に固定する必要がなくなる。
【００３５】
第２の解決手段は特許請求項２に示すように、前記フランジ４４には、前記架台４０を支持するための支持用パイプ４５が取り付けられており、前記スラストボルト６０は、前記支持用パイプ４５に収納されていることを特徴とするベルトクリーナ１０である。
【００３６】
図８は、スラストボルト６０と倒れ防止板７０を設け、隣り合う四角形棒状ゴム製弾性体２０の間にスペーサ９０を挿入しているチップ８０付きベルトクリーナ１０の横断面図である。図９は、チップ付きベルトクリーナの横断面図である。図１０はスラストボルト６０と倒れ防止板７０を設け、隣り合う四角形棒状ゴム製弾性体２０の間にスペーサ９０を挿入しているチップ８０付きベルトクリーナ１０を部分拡大した断面図である。
【００３７】
図７、８、１０に示すように、本ベルトクリーナ１０は、フランジ４４に支持パイプ４５を取付けて、架台４０を支持する構造である。フランジ４４にスラストボルト６０を取付けることにより、スラストボルト６０を支持パイプ４５の中に収納することができる。スラストボルト６０を支持パイプ４５に収納することにより、スラストボルト６０へのダストや水分の付着を防止できるので、スラストボルト６０の回転不良や腐食を抑制できる。又、ベルトクリーナ１０の取付け周辺部は狭いので、支持パイプ４５をスラストボルト６０の収納具として活用することで、ベルトクリーナ１０の構造をシンプルにすることができる。
【符号の説明】
【００３８】
１０：ベルトクリーナ
２０：四角形棒状ゴム製弾性体
２０ａ：（四角形棒状ゴム製弾性体の）固定側端末
２０ｂ：（四角形棒状ゴム製弾性体の）自由側端末
２０ｃ： 中心軸
２１：固定用軸
２１ａ：貫通孔
２１０：ピン
２１１：ボルト
２１２：凹凸部
２１３：アンカー孔
２２：スプリング
３０：戻り側ベルト
４０：架台
４０ａ：溝
４１：押し側板
４１ａ：押し側板上面
４２：受け側板
４３：底板
４３ａ：保持用ガイド穴
４４：フランジ
４４ａ：貫通孔
４５：支持パイプ
４６：ベルトクリーナ取付け基部
４７：押し付け板
４８：押し付けボルト
４９：ナット
５０： コンベア架台
６０：スラストボルト
６１：締め込みナット
６２：ナット（ネジ）
７０：倒れ防止板
８０：チップ
９０：スペーサ
Ｗ１：戻り側ベルトの幅方法の四角形棒状ゴム製弾性体の幅
Ｗ２：戻り側ベルトの進行方法の四角形棒状ゴム製弾性体の幅
Ｌ：四角形棒状ゴム製弾性体の長さ
【手続補正３】
【補正対象書類名】図面
【補正対象項目名】全図
【補正方法】変更
【補正の内容】
【図１】
2017190245.tif 000017
【図２】
2017190245.tif 000018
【図３】
2017190245.tif 000019
【図４】
2017190245.tif 000020
【図５】
2017190245.tif 000021
【図６】
2017190245.tif 000022
【図７】
2017190245.tif 000023
【図８】
2017190245.tif 000024
【図９】
2017190245.tif 000025
【図１０】
2017190245.tif 000026